【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、停止操作を行なうに際して、燃料処理系への燃料ガスの供給を停止した後、直ちに燃料処理系内に窒素等の不活性ガスと水蒸気を同時に流すことにより燃料ガスのパージを行なうことを特徴とする燃料電池発電プラントの運転方法。
【請求項２】
請求項１記載の燃料電池発電プラントの運転方法において、プラント停止操作時に燃料処理系の燃料ガスと水蒸気との混合位置より上流側の燃料ガス流路に設置された反応器及び配管内に残留している燃料ガスが不活性ガスにより前記燃料ガスと水蒸気との混合位置より押し出されるまで水蒸気パージを行なうことを特徴とする燃料電池発電プラントの運転方法。
【請求項３】
請求項１記載の燃料電池発電プラントの運転方法において、プラント停止操作時に燃料処理系に不活性ガスを燃料ガス及び水蒸気がプラント外に排出されるまで供給してパージを行なうことを特徴とする燃料電池発電プラントの運転方法。
【請求項４】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止操作時に燃料処理系への燃料ガスの供給を停止した後、直ちに燃料ガス入口から燃料処理系内に水素ガスを流すことを特徴とする燃料電池発電プラントの運転方法。
【請求項５】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止操作を行なうに際して、燃料処理系への燃料ガスの供給を停止した後、燃料処理系内に窒素等の不活性ガスと水素ガスとを同時に流すことにより燃料ガスのパージを行なうことを特徴とする燃料電池発電プラントの運転方法。
【請求項６】
請求項５記載の燃料電池発電プラントの運転方法において、
プラント停止操作時に燃料処理系の燃料ガスと水蒸気との混合位置より上流側の燃料ガス流路に設置された反応器及び配管内に残留している燃料ガスが不活性ガスにより前記燃料ガスと水蒸気との混合位置より押し出されるまで水素ガスパージを行なうことを特徴とする燃料電池発電プラントの運転方法。
【請求項７】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動操作を行なう際、燃料ガス導入前に燃料処理系に水素ガスを導入してパージを行なうことを特徴とする燃料電池発電プラントの運転方法。
【請求項８】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動操作時で燃料ガス導入前に、水蒸気と水素ガスとを燃料処理系内に導入してパージを行なうことを特徴とする燃料電池発電プラントの運転方法。
【請求項９】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止中に不活性ガスと水素ガスとの混合ガスを一定時間間隔で流すことを特徴とする燃料電池発電プラントの運転方法。
【請求項１０】
ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動により負荷を上昇させる際、７５％負荷以下での部分負荷運転を一定時間行なった後、定格負荷運転を行なうことを特徴とする燃料電池発電プラントの運転方法。
【手続補正２】
【補正対象書類名】明細書
【補正対象項目名】０００８
【補正方法】変更
【補正の内容】
【０００８】
本発明は上記のような事情に鑑みてなされたもので、従来供給されていたガスより多くのブタン以上の高位炭化水素を２％以上含むガスを、燃料電池発電プラントの燃料ガスとして供給する場合でも、燃料処理系の改質触媒層でカーボン析出反応を起こさない燃料電池発電プラントの運転方法を提供することを目的とする。
【手続補正３】
【補正対象書類名】明細書
【補正対象項目名】００１０
【補正方法】変更
【補正の内容】
【００１０】
請求項１に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、停止操作を行なうに際して、燃料処理系への燃料ガスの供給を停止した後、直ちに燃料処理系内に窒素等の不活性ガスと水蒸気を同時に流すことにより燃料ガスのパージを行なうものである。
【手続補正４】
【補正対象書類名】明細書
【補正対象項目名】００１４
【補正方法】変更
【補正の内容】
【００１４】
請求項４に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止操作時に燃料処理系への燃料ガスの供給を停止した後、直ちに燃料ガス入口から燃料処理系内に水素ガスを流すものである。
【手続補正５】
【補正対象書類名】明細書
【補正対象項目名】００１５
【補正方法】変更
【補正の内容】
【００１５】
請求項５に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止操作を行なうに際して、燃料処理系への燃料ガスの供給を停止した後、燃料処理系内に窒素等の不活性ガスと水素ガスとを同時に流すことにより燃料ガスのパージを行なうものである。
【手続補正６】
【補正対象書類名】明細書
【補正対象項目名】００１８
【補正方法】変更
【補正の内容】
【００１８】
請求項７に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動操作を行なう際、燃料ガス導入前に燃料処理系に水素ガスを導入してパージを行なうものである。
【手続補正７】
【補正対象書類名】明細書
【補正対象項目名】００１９
【補正方法】変更
【補正の内容】
【００１９】
請求項８に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動操作時で燃料ガス導入前に、水蒸気と水素ガスとを燃料処理系内に導入してパージを行なうものである。
【手続補正８】
【補正対象書類名】明細書
【補正対象項目名】００２１
【補正方法】変更
【補正の内容】
【００２１】
請求項９に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、プラント停止中に不活性ガスと水素ガスとの混合ガスを一定時間間隔で流すものである。
【手続補正９】
【補正対象書類名】明細書
【補正対象項目名】００２３
【補正方法】変更
【補正の内容】
【００２３】
請求項１０に対応する発明は、ブタン以上の炭素数を有する高位炭化水素を２％以上含む燃料ガスを燃料処理系に供給して水蒸気と混合し、この混合ガスから生成された水素リッチガスを燃料電池本体に供給する燃料電池発電プラントにおいて、起動により負荷を上昇させる際、７５％負荷以下での部分負荷運転を一定時間行なった後、定格負荷運転を行なうものである。